(57)【要約】【課題】足場に簡便に取付けることができるばかりでなく、足場への取付けに応じて足場から外れないように自動的にロックすることができる幅木を提供する。【解決手段】足場の踏板の側縁部に沿って立設される幅木本体１０と、足場の横架材を係止するフック部２２，３２を有し、前記幅木本体１０の両端の夫々に設けられた係止具２０，３０とを備えた足場用の幅木１であって、前記幅木本体１０の両端の夫々に設けられた前記係止具２０，３０の少なくとも一方は、前記幅木本体１０に回動自在に支持され、前記横架材を係止する係止位置と前記横架材を開放する開放位置との間で回動する可動係止具３０として構成されており、前記可動係止具３０が前記開放位置から前記係止位置へと回動すると該可動係止具を固定して前記開放位置に回動することを規制し、解除操作されることで前記規制を解除するロック機構４０が設けられている。【選択図】図１
2011140783.tif 000002
【特許請求の範囲】
【請求項１】
足場の踏板の側縁部に沿って立設される幅木本体と、
足場の横架材を係止するフック部を有し、前記幅木本体の両端の夫々に設けられた係止具と
を備えた足場用の幅木であって、
前記幅木本体の両端の夫々に設けられた前記係止具の少なくとも一方は、前記幅木本体に回動自在に支持され、前記横架材を係止する係止位置と前記横架材を開放する開放位置との間で回動する可動係止具として構成されており、
前記可動係止具が前記開放位置から前記係止位置へと回動すると該可動係止具を固定して前記開放位置に回動することを規制し、解除操作されることで前記規制を解除するロック機構が設けられている
ことを特徴とする足場用の幅木。
【請求項２】
前記ロック機構は、前記幅木本体の端面上部に板バネを介して上下動可能に支持され、前記板バネの付勢力によって上方向に変動することで前記可能係止具に設けられた係合部と係合して該可動係止具の回動を規制し、前記解除操作として前記板バネの付勢力に抗して下方向に押動操作されることで前記規制を解除するロック部材、を用いて構成されており、
前記幅木の上端には、手で握ることが可能な折返し片が設けられている
ことを特徴とする請求項２に記載の足場用の幅木。
【請求項３】
前記幅木本体の両端の前記係止具の一方は、前記可動係止具であり、他方は、前記幅木本体に固定的に設けられた固定係止具であり、
前記可動係止具の前記フック部と前記固定係止具の前記フック部とは、夫々対向する板状の一対のフック片から構成されていると共にフック片の板厚方向に互いにずれており、
連設されて隣り合う幅木において、横架材を、一方の幅木の可動係止具のフック部と他方の幅木の固定係止具のフック部とで互い違いに係止可能である
ことを特徴とする請求項１または請求項２に記載の足場用の幅木。
【発明の詳細な説明】
【技術分野】
【０００１】
本発明は、足場用の幅木に関するものであり、詳しくは、足場の踏板の側縁部に沿って立設される幅木に関するものである。
【背景技術】
【０００２】
マンションやオフィスビル等の建築物、橋脚等の構造物等、各種の建造物を建造するに際しては、建造物の周囲に足場を仮設することが一般的になされている。そして、足場としては、所定間隔で多数の支柱を立て、足場の奥行き方向の骨組みを構成する横架材を２本の支柱間に架渡したり１本の支柱に片持ち状に突設して、横架材間に踏板（足場板とも称される）を架渡したものが周知である。
【０００３】
ところで、足場では、建造物の部品や作業用の工具等を踏板から誤って落下させないように、踏板の側縁部に沿って幅木を立設する場合がある。ここで、従前より、踏板や支柱にボルト等によってネジ止めする幅木があるが、このような幅木では、足場への取付け・取外し作業が面倒である。また、踏板に折畳み式で一体化された幅木もあるが、折畳み式の幅木を有する踏板は、幅木を有する分だけかさばるため、運搬や保管が面倒である。
【０００４】
これに対し、図５に示すような幅木１００が案出されている。この幅木１００は、踏板Ｂとは別途の足場材であり、踏板Ｂを取付ける横架材Ａに両端のフック部１２１，１３１を係止させることで、足場に簡便に取付けることができるものである。以下に、この幅木１００の具体的な構造を説明する。
【０００５】
幅木１００の幅木本体１１０の一方の端部には、下部にフック部１２１を有する固定係止具１２０が固設されており、他方の端部には、下部にフック部１３１を有する可動係止具１３０が回動軸１１１を介して回動自在に取付けられている。ここで、可動係止具１３０は、フック部１３１が最も外側に位置して横架材Ａを係止する係止位置と、フック部１３１が内側に位置して横架材Ａを開放する開放位置との間で回動するものであり（矢印ｂ参照）、バネ（図示省略）によって係止位置方向に付勢されている。また、可動係止具１３０が円滑に回動するように、幅木本体１１０にはガイドピン１１２が突設されており、可動係止具１３０には、ガイドピン１１２を挿通させる長孔１３２が設けられている。
【０００６】
この幅木１００を足場に取付けるに際しては、図５に示すように、まず、固定係止具１２０のフック部１２１を横架材Ａに係止させた後、可動係止具１３０のフック部１３１を横架材Ａに上方から押当てて幅木１００全体を押下げれば、円筒状の横架材Ａの外周面に倣って可動係止具１３０がバネの付勢力に抗して回動し、幅木１００全体をさらに押下げることで、バネの付勢力によってフック部１３１が係止位置となるように可動係止具１３０が回動して、フック部１３１が横架材Ａを係止する状態となる。一方、幅木１００を足場から取外すに際しては、幅木１００の可動係止具１３０側を持上げれば、可動係止具１３０をバネの付勢力に抗して回動させることができ、幅木１００の可動係止具１３０側を持上げるだけで足場から取外すことができる。
【０００７】
ところで、この幅木１００では、幅木本体１１０に、一端側が幅木本体１１０に回動自在且つ進退自在に支持されたＵ字状のロックピン１１３が設けられており、可動係止具１３０には、このロックピン１１３の他端側が挿入されるロック孔１３０ａが設けられている。足場に取付けられた幅木１００において、ロックピン１１３の他端側を可動係止具１３０のロック孔１３０ａに挿入することで、フック部１３１が係止位置にある状態の可動係止具１３０を回動不能に固定することができ、幅木１００が足場から不用意に外れることを防止することができる。一方、足場から幅木１００を取外す場合には、ロックピン１１３を前進させてロック孔１３０ａから抜き、ロック孔１３０ａに挿入されない位置に回せば（矢印ｂ）、可動係止具１３０が回動可能となり、幅木１００を持上げることで足場から取外すことができる。
【発明の概要】
【発明が解決しようとする課題】
【０００８】
しかしながら、上述した従来の幅木１００では、足場に取付ける際に幅木本体１１０のロックピン１１３を可動係止具１３０のロック孔１３０ａに挿入するといったロック操作を必要とし、取付け作業が面倒なものであった。また、横架材Ａに可動係止具１３０のロック片１３１を係止させると、バネの付勢力によって可動係止具１３０がその状態で保持されるため、幅木１００の取付けを完了したものと錯誤してロック操作を忘れてしまうことも懸念されるものであった。
【０００９】
本発明は、上記実情を鑑みてなされたものであり、足場に簡便に取付けることができるばかりでなく、足場への取付けに応じて足場から外れないように自動的にロックすることができる幅木の提供を課題とする。
【課題を解決するための手段】
【００１０】
上記課題を解決するために本発明の採った主要な手段は、
「足場の踏板の側縁部に沿って立設される幅木本体と、
足場の横架材を係止するフック部を有し、前記幅木本体の両端の夫々に設けられた係止具と
を備えた足場用の幅木であって、
前記幅木本体の両端の夫々に設けられた前記係止具の少なくとも一方は、前記幅木本体に回動自在に支持され、前記横架材を係止する係止位置と前記横架材を開放する開放位置との間で回動する可動係止具として構成されており、
前記可動係止具が前記開放位置から前記係止位置へと回動すると該可動係止具を固定して前記開放位置に回動することを規制し、解除操作されることで前記規制を解除するロック機構が設けられている
ことを特徴とする足場用の幅木」
である。
【００１１】
ここで、ロック機構としては、幅木本体または可動係止具の一方にロック部材を設け、可動係止具または幅木本体の他方に上記ロック部材と係合する係合部を設けて、ロック部材と係合部とを係合させると可動係止具を回動不能に固定し、前記係合を解除すると可動係止部材が回動可能となるロック機構等、適宜のロック機構を採用すればよい。
【００１２】
上記構成の幅木は、可動係止具を含む両端の各係止具のフック部を横架材に係止させることで足場に取付けられる幅木であり、回動係止具は、横架材を係止する係止位置と横架材を開放する開放位置との間で回動するものである。よって、上記構成の幅木では、足場の横架材に両端の各係止具のフック部を係止させることで足場に簡便に取付けることができる。
【００１３】
また、上記構成の幅木は、可動係止具が係止位置から開放位置へと回動することを規制するロック機構を有するものである。よって、上記構成の幅木では、ロック機構による可動係止具の回動規制により、足場に取付けた状態の幅木が足場から不用意に外れないようにすることができる。
【００１４】
ところで、上記構成の幅木では、可動係止具が開放位置から係止位置へと回動すると、これに応じてロック機構が可動係止具を回動不能に固定するものとなっており、横架材に可動係止具のフック部を係止させることで、すなわち、足場に幅木を取付けることで、ロック機構による規制が自動的に行われる。よって、上記構成の幅木では、足場への取付けに応じて足場から外れないように自動的にロックすることができる。
【００１５】
上述した手段において、
「前記ロック機構は、前記幅木本体の端面上部に板バネを介して上下動可能に支持され、前記板バネの付勢力によって上方向に変動することで前記可能係止具に設けられた係合部と係合して該可動係止具の回動を規制し、前記解除操作として前記板バネの付勢力に抗して下方向に押動操作されることで前記規制を解除するロック部材、を用いて構成されており、
前記幅木の上端には、手で握ることが可能な折返し片が設けられている
ことを特徴とする足場用の幅木」
とするのが好適である。
【００１６】
上記構成の幅木は、ロック機構の構成をより具体的に限定したものであり、上下方向に変動するロック部材を幅木本体側に設け、ロック部材が係合する係合部を可動係止具側に設けて、指で押す等してロック部材を下方向に変動させることで可動係止具の回動規制を解除することができるようにしたものである。ここで、幅木本体は、上端が折返し片となっており、この折返し片は手で握ることができるものとなっている。よって、上記構成によれば、ロック部材を押動して可動係止具の回動規制を解除するに際して、幅木本体上端の折返し片を手で握って親指でロック部材を押すことができ、解除操作がし易いロック機構を実現することができる。
【００１７】
また、幅木を足場から取外すには、幅木自体を上方向に持上げるのであるが、ロック機構の解除操作は、ロック部材を下方向に押すといったように、幅木を足場から取外す作業とは全く逆方向の操作である。よって、種々の物品や作業者の体がぶつかって幅木自体に持ち上げ方向の力が加わったり、ロック部材に押し下げ方向の力が加わったとしても、それだけでは幅木が足場から外れることがなく、幅木が足場から不用意に外れることを的確に防止することができる。
【００１８】
上述した手段において、
「前記幅木本体の両端の前記係止具の一方は、前記可動係止具であり、他方は、前記幅木本体に固定的に設けられた固定係止具であり、
前記可動係止具の前記フック部と前記固定係止具の前記フック部とは、夫々対向する板状の一対のフック片によって構成されていると共にフック片の板厚方向に互いにずれており、
連設されて隣り合う幅木において、横架材を、一方の幅木の可動係止具のフック部と他方の幅木の固定係止具のフック部とで互い違いに係止可能である
ことを特徴とする足場用の幅木」
とするのが好適である。
【００１９】
上記構成の幅木では、一端側の係止具が固定係止具となっており、他端側の係止具が可動係止具になっている。そして、固定係止具及び可動係止具の夫々のフック部は、連接されて隣り合う幅木において、横架材を互い違いに係止可能となっている。よって、上記構成の幅木では、複数の幅木を連設する場合に、隣り合う幅木のフック部を重なり合わせて横架材周りをすっきりとさせることができる。
【００２０】
また、隣り合う幅木において、一方の幅木の可動係止具を基準として他方の幅木の固定係止具を横架材に係止させたり、一方の幅木の固定係止具を基準として他方の幅木の可動係止具を横架材に係止させたりして幅木を順次連設することで、多数の幅木を正確な直線状に配置することができる。
【発明の効果】
【００２１】
上述した通り、本発明によれば、足場に簡便に取付けることができるばかりでなく、足場への取付けに応じて足場から外れないように自動的にロックすることができる幅木を提供することができる。
【図面の簡単な説明】
【００２２】
【図１】本発明に係る幅木の一例を示す図であり、（ａ）は平面図、（ｂ）は正面図である。
【図２】図１に示した幅木の可動係止具部分の拡大正面図である。
【図３】図１に示した幅木のロック機構を操作する状態を示す概略説明図である。
【図４】複数の幅木を連設する状態を示す要部概略図である。
【図５】従来の幅木を足場に取付ける状態を示す正面図である。
【発明を実施するための形態】
【００２３】
本発明に係る足場用の幅木の実施形態としての一例を、以下、図面に従って詳細に説明する。
【００２４】
図１及び図２に、本発明に係る足場用の幅木１の一例を示す。
【００２５】
この幅木１は、幅木本体１０と、足場の横架材Ａを係止するフック部２２，３２を有する係止具２０，３０とを備えている。
【００２６】
幅木本体１０は、鋼板によって上部及び下部に長さ５０ｍｍ程度の折返し片１１を有する高さ１５０ｍｍ程度のパネル状に形成されている。なお、幅木本体１０の長さについては、対応する踏板の長さに応じた適宜の長さが設定されている。また、上記折返し片１１は、幅木本体１０の上部及び下部の強度を確保すると共に、手に掛けて幅木１を持ち運ぶことができるようにするためのものである。ここで、幅木本体１０のパネル面と折返し片１１との間は２０ｍｍ程度に設定されており、パネル面と折返し片１１との間に指を差入れて折返し片１１を手で握ることが可能となっている。
【００２７】
係止具２０，３０は、コ字状の係止具本体２１，３１の下部にフック部２２，３２が設けられたものであり、一方の係止具２０が、幅木本体１０に溶接固定された固定係止具２０となっているのに対して、他方の係止具３０が、係止具本体３１の下部（フック部３２の上方）にてスプリングピン３４を回動軸として幅木本体１０に対して回動する可動係止具３０となっている。
【００２８】
ここで、可動係止具３０は、フック部３２が最も外側に位置する状態で横架材Ａを係止し、フック部３２が内側に位置すると横架材Ａの係止を開放する状態となるものであり、横架材Ａを係止する状態では、ロック機構４０によって自動的に回動不能となるものである。以下に、ロック機構４０の詳細を説明する。
【００２９】
幅木本体１０の側部の上部には、板バネ４１を介して上下方向に変動可能なロック部材４２が取付けられており、このロック部材４２は、幅木本体１０の側縁から突出するものとなっている。なお、板バネ４１は、一端側がリベット４３によって幅木本体１０に固定されている。また、板バネ４１の他端側には、ロック部材４２がカシメやスポット溶接等によって固着されている。
【００３０】
一方、可動係止具３０には、係止具本体３１の上端を塞ぐ天板３３が設けられており、この天板３３に、ロック部材４２に係合する係合部、具体的に、ロック部材４２が挿入されるロック孔３３ａ、が設けられている。
【００３１】
また、ロック機構４０は、可動係止具３０が横架材Ａを開放する位置から係止する位置に回動すると（図２の矢印ａ参照）、ロック部材４２が可動係止具３０の天板３３に押されて下方向に変動し、横架材Ａを完全に係止する位置まで可動係止具３０が回動すると、ロック部材４２がロック孔３３ａに挿入可能となって、板バネ４１の付勢力によってロック部材４２が上方向に変動してロック孔３３ａに自動的に挿入されるものである。すなわち、このロック機構４０は、可動係止具３０の回動に応じて、可動係止具３０を回動不能となるように自動的にロックするものである。
【００３２】
一方、ロックを解除したい場合には、ロック部材４２を押下げれば、ロック部材４２が板バネ４１の付勢力に抗して下方向に変動して、ロック孔３３ａからロック部材４２が抜けて可動係止具３０が回動可能な状態となる。ここで、本例の幅木１では、幅木本体１０の上部に、手で持つことが可能な折返し片１１が設けられていることから、ロックを解除する際には、図３に示すように、折返し片１１を手Ｃで握りつつ親指でロック部材４２を押し下げることができ、解除操作のし易いものとなっている。
【００３３】
なお、本例の幅木１は、所定間隔で配置された二つの横架材Ａの間に取付けるに際して、まず固定係止具２０を一方の横架材Ａに係止させた後、可動係止具３０によって他方の横架材Ａを係止するのであるが、可動係止具３０側のフック部３２の形状が、横架材Ａの上からフック部３２を押し当ててそのまま幅木１の可動係止具３０側を押し下げれば、円筒状の横架材Ａの上面に倣って可動係止具３０が変動し、横架材Ａを完全に係止する位置まで自動的に回動するように設定されている。一方、横架材Ａからの取外しに際しては、幅木本体１０の可動係止具３０側部分の折返し片１１を握ってロック部材４２を親指で押下げつつ、幅木１の可動係止具３０側を持上げれば、可動係止具３０が横架材Ａの下面に倣って横架材Ａの係止を開放する位置に自動的に回動して横架材Ａから幅木１を簡便に取外すことができるように設定されている。
【００３４】
ここで、本例の幅木１では、ロック部材４２を下に押すといったように、幅木１を持上げる方向とは全く逆方向の力を加えない限り、可動係止具３０のロックを解除することができない。よって、本例の幅木１は、ロック機構４０の解除操作及び幅木１の取外し作業の逆方向の操作・作業を意図的に行わない限り足場から外すことができず、足場から不用意に外れることを的確に防止できる幅木１となっている。
【００３５】
ところで、固定係止具２０のフック部２２は、対向する一対の板状のフック片２２ａ，２２ｂから構成されており、可動係止具３０のフック部３２も同様に、対向する一対の板状のフック片３２ａ，３２ｂから構成されている。そして、図４に示すように、可動係止具３０のフック部３２の中心線（対向するフック片３２ａ，３２ｂの中間の基準線）が幅木１全体の中心線ａ（幅木本体１０の厚み方向の中間の基準線）と略同一であるのに対して、固定係止具２０のフック部２２の中心線ｂ（対向するフック片２２ａ，２２ｂの中間の基準線）は、幅木１全体の中心線ａより可動係止具３０側のフック片３２ａ，３２ｂの板厚分だけずれている。なお、図示では、ずれを誇張して表現しているが、幅木１全体の中心線ａに対する固定係止具２０のフック部２２の中心線ｂのずれ（寸法ｃ）は、可動係止具３０側のフック片３２ａ，３２ｂの板厚よりも若干、大きな寸法程度である。
【００３６】
このように可動係止具３０のフック部３２の中心線と固定係止具２０のフック部２２の中心線ｂとを互いにずらすことで、複数の幅木１を連設する場合に、各幅木１の固定係止具２０と可動係止具３０とが干渉しない状態で各幅木１を一直線状に配設することができる。また、横架材Ａに係止させたフック部２２，３２を互い違いに重ね合わせることで、横架材Ａ周りにおいて、各フック部２２，３２をすっきと納めることができる。
【００３７】
なお、本例では、固定係止具２０側のフック部２２を幅木１全体の中心線ａからずらしたが、これに限らず、可動係止具３０側のフック部３２をずらしてもよく、また、固定係止具２０側及び可動係止具３０側の双方のフック部２２，３２を幅木１全体の中心線ａからずらすようにしてもよい。
【符号の説明】
【００３８】
Ａ  横架材
１  幅木
１０  幅木本体
１１  折返し片
１１  ステー
２０  固定係止具
２１  係止具本体
２２  フック部
２２ａ  フック片
２２ｂ  フック片
３０  可動係止具
３１  係止具本体
３２  フック部
３２ａ  フック片
３２ｂ  フック片
３３  天板
３３ａ  ロック孔（係合部）
３４  スプリングピン
４０  ロック機構
４１  板バネ
４２  ロック部材
４３  リベット
【図１】
2011140783.tif 000003
【図２】
2011140783.tif 000004
【図３】
2011140783.tif 000005
【図４】
2011140783.tif 000006
【図５】
2011140783.tif 000007